(57)【要約】    【課題】  パソコンを用いることなくネットワークカメラを簡単かつ安価に利用することができる装置を提供する。    【解決手段】  ネットワークカメラ３との間で通信を行うためのネットワーク通信部１１と、これによりネットワークカメラから受信した撮影画像データ、及び操作者が行うリモートコントローラ５による指示に応じた操作画面データから画面表示データを生成する表示制御部１２と、ここで生成した画面表示データをテレビジョン受像機４に適合するビデオ信号に変換するビデオ信号生成部１３と、テレビジョン受像機に表示させた操作画面にしたがって操作者が行うリモートコントローラによる指示に応じて所要のカメラ制御信号を生成してネットワークカメラに送信するカメラ制御部１４とを有するものとする。【選択図】    図１
2006109404.tif 000002
【特許請求の範囲】
【請求項１】
ネットワークカメラとの間で通信を行うためのネットワーク通信手段と、
このネットワーク通信手段により前記ネットワークカメラから受信した撮影画像データを含む画面表示データを生成する表示制御手段と、
この表示制御手段で生成した画面表示データをテレビジョン受像機に適合するビデオ信号に変換してテレビジョン受像機に送出し表示させるビデオ信号生成手段と、
前記ネットワークカメラに対する指示を操作者が入力する入力手段と、
この入力手段による指示に応じて所要のカメラ制御信号を生成して前記ネットワークカメラに送信するカメラ制御手段とを有することを特徴とするアダプタ装置。
【請求項２】
ネットワークカメラとの間で通信を行うためのネットワーク通信手段と、
前記ネットワークカメラに対して指示を行うための操作画面データを生成する表示制御手段と、
この表示制御手段で生成した操作画面データをテレビジョン受像機に適合するビデオ信号に変換してテレビジョン受像機に送出し表示させるビデオ信号生成手段と、
前記テレビジョン受像機に表示された操作画面に対し操作者が指示を行う入力手段と、
この入力手段による指示に応じて所要のカメラ制御信号を生成して前記ネットワークカメラに送信するカメラ制御手段とを有することを特徴とするアダプタ装置。
【請求項３】
前記入力手段が、無線通信媒体を用いて制御信号を送出するリモートコントローラからの制御信号を受信することを特徴とする請求項１若しくは請求項２に記載のアダプタ装置。
【請求項４】
前記表示制御手段が、ネットワークカメラから受信した撮影画像データとネットワークカメラに対して指示を行うための操作画面データとを合成した画面表示データを生成し、前記ビデオ信号生成手段を介してテレビジョン受像機に表示させることを特徴とする請求項１若しくは請求項２に記載のアダプタ装置。
【請求項５】
前記カメラ制御信号が、パン、チルト、及びズームのいずれかの動作を制御するものであることを特徴とする請求項１若しくは請求項２に記載のアダプタ装置。
【請求項６】
前記表示制御手段が、モニタリングする前記ネットワークカメラを選択指定させるために、登録された複数の前記ネットワークカメラの撮影画像を、１つの画面を分割して設定された複数の表示領域にそれぞれ表示させるマルチ画面表示データを生成し、前記ビデオ信号生成手段を介して前記テレビジョン受像機に表示させることを特徴とする請求項１若しくは請求項２に記載のアダプタ装置。
【請求項７】
前記表示制御手段が、前記入力手段の指示により選択指定された複数の前記ネットワークカメラの撮影画像を、１つの画面を分割して設定された複数の表示領域にそれぞれ表示させるマルチ画面表示データを生成し、前記ビデオ信号生成手段を介して前記テレビジョン受像機に表示させることを特徴とする請求項１若しくは請求項２に記載のアダプタ装置。
【請求項８】
前記入力手段による録画指示に応じて、前記ネットワークカメラから受信した撮影画像データを所定の記憶媒体に書き込む録画処理を実行する録画処理手段をさらに有することを特徴とする請求項１若しくは請求項２に記載のアダプタ装置。
【請求項９】
前記録画処理手段が、前記入力手段の指示により予約指定された録画日時にしたがって録画処理を実行することを特徴とする請求項８に記載のアダプタ装置。
【請求項１０】
センサが併設されたネットワークカメラとの間で通信を行うためのネットワーク通信手段と、
このネットワーク通信手段により前記ネットワークカメラから受信した撮影画像データを含む画面表示データを生成する表示制御手段と、
この表示制御手段で生成した画面表示データをテレビジョン受像機に適合するビデオ信号に変換してテレビジョン受像機に送出し表示させるビデオ信号生成手段と、
前記センサの検知動作に応じて前記ネットワークカメラから送信される検知信号を受信して所定の報知動作を実行させる報知制御手段とを有することを特徴とするアダプタ装置。
【請求項１１】
前記報知制御手段が、前記検知したセンサに対応するネットワークカメラの撮影画像を優先的に表示させるように前記表示制御手段を制御することを特徴とする請求項１０に記載のアダプタ装置。
【請求項１２】
前記ネットワークカメラから受信した撮影画像データを所定の記憶媒体に書き込む録画処理を実行する録画処理手段をさらに有し、
前記報知制御手段が、前記検知したセンサに対応するネットワークカメラの撮影画像の録画処理を前記録画処理手段に実行させることを特徴とする請求項１０に記載のアダプタ装置。
【請求項１３】
請求項１乃至請求項１２のいずれかに記載のアダプタ装置と、ネットワークカメラと、テレビジョン受像機と、リモートコントローラとを有することを特徴とするネットワークカメラシステム。
【発明の詳細な説明】
【技術分野】
【０００１】
本発明は、ネットワークカメラのモニタリング及び制御を行うアダプタ装置及びネットワークカメラシステムに関するものである。
【背景技術】
【０００２】
近年、ネットワークインタフェースを備えた、いわゆるネットワークカメラが注目されている。この種のネットワークカメラは、ネットワーク端末としてのパソコンと接続され、ネットワークを介してネットワークカメラとパソコンとの間で撮影画像データや制御信号を送受することで、ユーザは、パソコンの操作を通じて、インターネットサイトを閲覧するような手軽さで、ネットワークカメラの撮影画像を表示させるモニタリングや、ネットワークカメラにパンやチルトなどの所要の動作を行わせる遠隔操作を行うことができる（例えば、特許文献１参照）。
【特許文献１】特開２００４−１５３３７３号公報
【発明の開示】
【発明が解決しようとする課題】
【０００３】
しかしながら、前記従来の技術では、ネットワークカメラを利用するためにパソコンが必要であり、パソコンの操作に不慣れな人にとっては、これが大きな障害となって、ネットワークカメラを手軽に利用することができないという問題を有している。さらに、パソコンを所有していない人は、ネットワークカメラとは別にパソコンも準備しなければならず、導入費用が嵩むという問題を有している。
【０００４】
本発明は、このような従来技術の問題点を解消するべく案出されたものであり、その主な目的は、パソコンによらずにネットワークカメラを簡単に且つ安価に利用することができるように構成されたアダプタ装置及びネットワークカメラシステムを提供することにある。
【課題を解決するための手段】
【０００５】
このような課題を解決するために、本発明によるアダプタ装置においては、請求項１に示すとおり、ネットワークカメラとの間で通信を行うためのネットワーク通信手段と、このネットワーク通信手段により前記ネットワークカメラから受信した撮影画像データを含む画面表示データを生成する表示制御手段と、この表示制御手段で生成した画面表示データをテレビジョン受像機に適合するビデオ信号に変換してテレビジョン受像機に送出し表示させるビデオ信号生成手段と、前記ネットワークカメラに対する指示を操作者が入力する入力手段と、この入力手段による指示に応じて所要のカメラ制御信号を生成して前記ネットワークカメラに送信するカメラ制御手段とを有するものとした。
【０００６】
また、本発明によるアダプタ装置においては、請求項２に示すとおり、ネットワークカメラとの間で通信を行うためのネットワーク通信手段と、前記ネットワークカメラに対して指示を行うための操作画面データを生成する表示制御手段と、この表示制御手段で生成した操作画面データをテレビジョン受像機に適合するビデオ信号に変換してテレビジョン受像機に送出し表示させるビデオ信号生成手段と、前記テレビジョン受像機に表示された操作画面に対し操作者が指示を行う入力手段と、この入力手段による指示に応じて所要のカメラ制御信号を生成して前記ネットワークカメラに送信するカメラ制御手段とを有するものとした。
【０００７】
これによると、一般家庭に広く普及したテレビジョン受像機を用いてネットワークカメラのモニタリング及び制御を行うことができるため、パソコンに不慣れな人であっても、ネットワークカメラを簡単に利用することが可能となり、またパソコンを別途準備する必要がないため、ネットワークカメラを安価に利用することが可能となる。
【０００８】
この場合、ビデオ信号生成手段から送出されるビデオ信号は、テレビジョン受像機の外部入力手段に入力され、テレビジョン受像機では、外部入力データの表示モードに切り替えることで本アダプタ装置からの出力ビデオ信号に基づく画面がテレビジョン受像機に表示される。
【０００９】
特に、前記の表示制御手段は、ネットワークカメラの撮影画像の表示画面上に部分的に操作案内の表示領域を重ね合わせて合成するオンスクリーン表示を行う構成とすると良く、これにより、ネットワークカメラの撮影画像を参照しながら、ネットワークカメラの操作を行うことができ、使い勝手が良くなる。
【００１０】
前記アダプタ装置においては、請求項３に示すとおり、前記入力手段が、無線通信媒体を用いて制御信号を送出するリモートコントローラからの制御信号を受信する構成とすることができる。これによると、テレビジョン受像機の画面を見ながらリモートコントローラを操作することにより、テレビジョン受像機を扱うような手軽さでネットワークカメラを利用することができる。
【００１１】
この場合、前記の無線通信媒体は、赤外線が好適である。
【００１２】
特に、前記のリモートコントローラは、アダプタ装置及びテレビジョン受像機をそれぞれ操作可能な制御信号を送出する構成とすると良く、これによると、テレビジョン受像機用のリモートコントローラによらずにテレビジョン受像機を操作することができ、利便性が向上する。特にテレビジョン受像機用の制御信号としては、起動状態とスタンバイ状態とを切り替える信号、テレビジョン受像機４内のチューナで受信した放送画像の表示モードと、外部入力インタフェースから入力された画像の表示モードとを切り替える信号が好適であり、これによりネットワークカメラのモニタリング及び制御に係る一連の操作を本装置のリモートコントローラのみで行うことができる。
【００１３】
また、前記のリモートコントローラは、操作画面上に並べて表示された複数の項目から１つを選択するカーソルボタン（方向指示ボタン）と、これにより選択された項目に確定する決定ボタンとを備えた構成とすると良く、これにより、簡単な操作でアダプタ装置の操作及びネットワークカメラの制御を行うことができる。
【００１４】
また、前記のリモートコントローラは、複数のネットワークカメラにそれぞれ対応する選択ボタンを備え、モニタリングの際に、対象となるネットワークカメラを選択ボタンで選択指定する構成（ダイレクト選択）とすると良く、これにより、モニタリング対象となるネットワークカメラを簡単な操作で選択することができる。このとき、リモートコントローラにおいて、複数のネットワークカメラに付与された識別文字を選択ボタンまたはその周辺に記載することで、ネットワークカメラと選択ボタンとの対応関係を容易に判別することができる。
【００１５】
前記アダプタ装置においては、請求項４に示すとおり、前記表示制御手段が、ネットワークカメラから受信した撮影画像データとネットワークカメラに対して指示を行うための操作画面データとを合成した画面表示データを生成し、前記ビデオ信号生成手段を介してテレビジョン受像機に表示させる構成とすることができる。
【００１６】
前記アダプタ装置においては、請求項５に示すとおり、前記カメラ制御信号が、パン、チルト、及びズームのいずれかの動作を制御する構成とすることができる。
【００１７】
この場合、リモートコントローラに設けられた上下左右のカーソルボタン（方向指示ボタン）の操作に応じて、ネットワークカメラにパン、チルト、及びズームの各動作を指示するカメラ制御信号をカメラ制御手段が生成する構成とすると良く、これにより、ネットワークカメラの遠隔制御を、リモートコントローラの直感的な操作で行うことができ、利便性が向上する。
【００１８】
前記アダプタ装置においては、請求項６に示すとおり、前記表示制御手段が、モニタリングする前記ネットワークカメラを選択指定させるために、登録された複数の前記ネットワークカメラの撮影画像を、１つの画面を分割して設定された複数の表示領域にそれぞれ表示させるマルチ画面表示データを生成して前記テレビジョン受像機に表示させる構成とすることができる。これによると、モニタリングするネットワークカメラをユーザが１つ選択指定するリスト選択において、各ネットワークカメラの実際の撮影画像を参照しながらネットワークカメラを選択することができるため、利便性が向上する。
【００１９】
前記アダプタ装置においては、請求項７に示すとおり、前記表示制御手段が、前記入力手段の指示により選択指定された複数の前記ネットワークカメラの撮影画像を、１つの画面を分割して設定された複数の表示領域にそれぞれ表示させるマルチ画面表示データを生成して前記テレビジョン受像機に表示させる構成とすることができる。これによると、複数のネットワークカメラの撮影画像を同時に表示させて監視することができる。
【００２０】
前記アダプタ装置においては、請求項８に示すとおり、前記入力手段による録画指示に応じて、前記ネットワークカメラから受信した撮影画像データを所定の記憶媒体に書き込む録画処理を実行する録画処理手段をさらに有する構成とすることができる。これによると、他の録画装置を用いることなく撮影画像の録画が可能となり、利便性が向上する。
【００２１】
この場合、録画処理手段は、以下に示す構成の他、入力手段の操作に応じて、ネットワークカメラから受信中の撮影画像データを動画で録画する処理（リアルタイム録画）、並びにネットワークカメラから受信中の撮影画像データを静止画で録画する処理（スナップショット録画）を実行する構成とすることも可能である。
【００２２】
前記アダプタ装置においては、請求項９に示すとおり、前記録画処理手段が、前記入力手段の指示により予約指定された録画日時にしたがって録画処理を実行する構成とすることができる。これによると、予約録画が可能になり、利便性が向上する。
【００２３】
この場合、録画処理の開始終了を判断する時刻情報を取得するための時計をアダプタ装置自身が備える構成の他、ネットワークカメラが備えた時計からアダプタ装置が時刻情報をネットワークを介して取得する構成としても良く、これによりアダプタ装置の構成の簡単化及び低コスト化を図ることができる。また、アダプタ装置自身が経過時間を計測するタイマを備え、適宜なタイミング（例えば、電源オン時、ネットワークカメラと通信可能になった時、予約録画が設定された時など）でネットワークカメラの時計から絶対的な時刻情報を取得してタイマを作動させることで、相対的な時刻情報を取得する構成としても良い。
【００２４】
また本発明によるアダプタ装置においては、請求項１０に示すとおり、センサが併設されたネットワークカメラとの間で通信を行うためのネットワーク通信手段と、このネットワーク通信手段により前記ネットワークカメラから受信した撮影画像データから画面表示データを生成する表示制御手段と、この表示制御手段で生成した画面表示データをテレビジョン受像機に適合するビデオ信号に変換するビデオ信号生成手段と、前記センサの検知動作に応じて前記ネットワークカメラから送信される検知信号に基づき所定の報知動作を実行させる報知制御手段とを有するものとした。
【００２５】
これによると、一般家庭に広く普及したテレビジョン受像機を用いてネットワークカメラのモニタリングを行うことができるため、ネットワークカメラを簡単に且つ安価に利用することが可能となり、その上、センサの検出動作に応じて所定の報知動作を行うため、センサが併設されたネットワークカメラの設置場所で生じた異常をユーザに知らせることができるため、利便性が向上する。
【００２６】
この場合、前記のセンサは、周囲の状態の変化を検知するものであり、特に人体から放射される赤外線による温度変化などに基づいて人物などの動きを検知する人感センサが好適である。
【００２７】
前記アダプタ装置においては、請求項１１に示すとおり、前記報知制御手段が、前記検知信号に応じて、前記センサに対応するネットワークカメラの撮影画像を優先的に表示させるように前記表示制御手段を制御する構成とすることができる。
【００２８】
この場合、前記の表示制御手段は、検出動作を行ったセンサに対応するネットワークカメラとは異なる別のネットワークカメラの撮影画像を表示中に、センサの検知信号を受信すると、別のネットワークカメラの撮影画像の表示画面から、検出動作を行ったセンサに対応するネットワークカメラの撮影画像の表示画面に切り替える構成とすることができる。
【００２９】
また、前記の表示制御手段は、テレビジョン受像機にて複数のネットワークカメラの撮影画像を同時に表示させるマルチ画面の表示中に、センサの検知信号を受信すると、マルチ画面から、センサに対応するネットワークカメラの撮影画像を単独で表示させた表示画面に切り替える構成とすることができる。
【００３０】
また、前記のようにセンサに対応するネットワークカメラの撮影画像を表示させるにあたり、テレビジョン受像機がスタンバイ状態にあっても、テレビジョン受像機にスタンバイ状態から復帰させる制御信号を送信する構成とすることも可能である。
【００３１】
また、前記のようにセンサに対応するネットワークカメラの撮影画像を表示させるにあたり、テレビジョン受像機が放送画像の表示状態にあっても、テレビジョン受像機に放送画像の表示モードから外部入力画像の表示モードに切り替える制御信号を送信する構成とすることも可能である。
【００３２】
前記アダプタ装置においては、請求項１２に示すとおり、前記ネットワークカメラから受信した撮影画像データを所定の記憶媒体に書き込む録画処理を実行する録画処理手段をさらに有し、前記報知制御手段が、前記検知信号に応じて、前記センサに対応するネットワークカメラの撮影画像の録画処理を前記録画処理手段に実行させる構成とすることができる。これによると、センサが併設されたネットワークカメラの設置場所で生じた異常を事後にユーザが確認することができるため、利便性が向上する。
【００３３】
この他、前記の報知制御手段が、アダプタ装置が備えるブザーやランプなどの報知手段に報知動作を行わせる構成とすることも可能であり、これにより、ユーザがテレビジョン受像機を使用していないときでも、センサの設置場所で生じた異常を即座に且つ確実にユーザに知らせることができる。
【発明の効果】
【００３４】
このように本発明によれば、一般家庭に広く普及したテレビジョン受像機を用いてネットワークカメラのモニタリング及び制御を行うことができるため、ネットワークカメラを簡単に且つ安価に利用することができるという大きな効果が得られる。
【発明を実施するための最良の形態】
【００３５】
以下、本発明の実施の形態を、図面を参照しながら説明する。
【００３６】
図１は、本発明によるアダプタ装置を機能別に示すブロック図である。このアダプタ装置１は、ネットワークカメラ３とテレビジョン受像機４との間に設けられてネットワークカメラ３の撮影画像の表示及びネットワークカメラ３の制御を行うものであり、ネットワーク（ＬＡＮ）を介してネットワークカメラ３との間で通信を行うネットワーク通信部（ネットワーク通信手段）１１と、このネットワーク通信部１１によりネットワークカメラ３から受信した撮影画像データから画面表示データを生成する表示制御部（表示制御手段）１２と、この表示制御部１２で生成した画面表示データをテレビジョン受像機４に適合するビデオ信号に変換するビデオ信号生成部（ビデオ信号生成手段）１３とを有している。
【００３７】
ビデオ信号生成部１３は、テレビジョン受像機４の外部入力インタフェース（外部入力手段）に入力可能な汎用的なビデオ信号、例えばＮＴＳＣ（National Television Standards Committee）規格に準拠するコンポジットビデオ信号などを出力する。テレビジョン受像機４では、チューナ４３で受信した放送画像の表示モードと、外部入力インタフェース４２から入力された画像の表示モードとを切り替えて表示部４１に表示させることができ、アダプタ装置１によりネットワークカメラ３のモニタリング及び制御を行う際には、テレビジョン受像機４を外部入力の表示モードに切り替えて使用される。
【００３８】
表示制御部１２の前段には、ネットワークカメラ３からの圧縮撮影画像データを復号するビデオデコーダ１５が設けられている。
【００３９】
また本アダプタ装置１は、リモートコントローラ（入力手段）５からの制御信号を受信する受信部（受信手段）１７が設けられており、リモートコントローラ５に設けられた操作ボタン群５１を操作することで送信部５２から送信される制御信号を受信部１７が受信すると、その制御信号の指示内容（操作情報）を解析する処理が主制御部１８にて行われ、この解析結果に基づいて主制御部１８がアダプタ装置１内の表示制御部１２や以下に示す各部に対して指示を行う。
【００４０】
またリモートコントローラ５は、後に詳述するように、アダプタ装置１及びテレビジョン受像機４をそれぞれ制御するボタンが設けられており、アダプタ装置１用のボタンの操作によりアダプタ制御信号が送信部５２から送出され、またテレビジョン受像機４用のボタンの操作によりテレビ制御信号が送信部５２から送出される。テレビジョン受像機４では、リモートコントローラ５からのテレビ制御信号を受信部４４にて受信し、その指示内容に基づいた所要の動作を行う。
【００４１】
また本アダプタ装置１では、表示制御部１２にて、リモートコントローラ５の操作による指示に基づく操作画面データから画面表示データを生成する処理が行われ、これによりテレビジョン受像機４に表示させた操作画面にしたがって操作者が行うリモートコントローラ５の操作に基づいて所要のカメラ制御信号を生成してネットワークカメラ３に送信するカメラ制御部（カメラ制御手段）１４が設けられている。このカメラ制御部１４では、パン、チルト、及びズームの各動作を制御するカメラ制御信号が生成され、ネットワークカメラ３にこれらの動作を行わせることができる。
【００４２】
また本アダプタ装置１には、リモートコントローラ５による録画指示に応じて、ネットワークカメラ３から受信した撮影画像データを記憶媒体２３に書き込む録画処理を実行すると共に、記憶媒体２３に記憶された撮影画像データを読み出す再生処理を実行する録画再生処理部（録画処理手段）２２が設けられている。
【００４３】
図２は、図１に示したアダプタ装置により構成されるネットワークカメラシステムの一例を示すブロック図である。このネットワークカメラシステムでは、アダプタ装置１が、有線ＬＡＮ又は無線ＬＡＮを介して複数のネットワークカメラ３と接続されており、またアダプタ装置１が、ルータ８を介してインターネットに接続されており、インターネットに接続された遠隔地のネットワークカメラ３との間で、撮影画像データの受信などの所要の通信を行い、遠隔地のネットワークカメラ３の撮影画像をテレビジョン受像機４に表示させることができる。
【００４４】
図３は、図１に示したアダプタ装置のハードウェア構成を示すブロック図である。このアダプタ装置１では、ＣＰＵ６２、ＲＯＭ６３、ＲＡＭ６４、無線ＬＡＮインタフェース６５、有線ＬＡＮインタフェース６６、録画再生インタフェース６８、リモートコントロールインタフェース６９、及びビデオデコーダ１５が、バス６１を介して相互に接続されている。
【００４５】
ＣＰＵ６２は、各部を総括的に制御するものであり、ＲＯＭ６３には、ＣＰＵ６２での制御に要するプログラム及び各種の設定情報が格納されている。ＲＡＭ６４は、ＣＰＵ６２での制御のためのワークエリアを提供するものである。ＣＰＵ６２では、所定のプログラムを実行させることで、図１に示した主制御部１８、表示制御部１２、カメラ制御部１４の各機能が実現される。
【００４６】
無線ＬＡＮインタフェース６５には、無線ＬＡＮアンテナ７１が接続されており、図２に示したように、無線ＬＡＮ機能を有するネットワークカメラ３と通信を行うことができる。有線ＬＡＮインタフェース６６には、複数の有線ＬＡＮポートを備えたスイッチングハブ７２が接続されており、図２に示したように、有線ＬＡＮ機能を有する複数のネットワークカメラ３と通信を行うことができる。これら無線ＬＡＮインタフェース６５、無線ＬＡＮアンテナ７１、有線ＬＡＮインタフェース６６、スイッチングハブ７２は、図１に示したネットワーク通信部１１を構成している。
【００４７】
ビデオデコーダ１５にはビデオインタフェース７０が接続されている。このビデオインタフェース７０は、図１に示したビデオ信号生成部１３を構成するものであり、ビデオデコーダ１５で復号された撮影画像データがテレビジョン受像機４に適合するビデオ信号に変換され、ここで生成したビデオ信号がビデオ出力端子７７から出力される。このビデオ出力端子７７は、ビデオケーブルを介して、図１に示したテレビジョン受像機４の外部入力インタフェース４２に設けられたビデオ入力端子と接続される。なお、アダプタ装置１とテレビジョン受像機４との接続を無線により行う構成も可能である。
【００４８】
録画再生インタフェース６８には、図１に示した記憶媒体２３としてのメモリカード７４が挿入されるメモリカードスロット７３が接続されており、録画時には、ネットワークカメラ３の撮影画像データをメモリカード７４に書き込む処理が行われ、再生時には、メモリカード７４に記憶された撮影画像データを読み出す処理が行われる。この録画再生インタフェース６８及びメモリカードスロット７３は、図１に示した録画再生処理部２２を構成している。
【００４９】
なお、図１に示した記憶媒体２３は、メモリカード７４以外の記憶装置、例えばハードディスクドライブなどで構成することも可能である。
【００５０】
リモートコントロールインタフェース６９には、受光素子７５、設定スイッチ７６、並びにブザー２５及びランプ（ＬＥＤ）２６が接続されている。受光素子７５は、リモートコントローラ５から発信される赤外線信号（制御信号）を受光するものである。設定スイッチ７６は、自動設定モードなどの各種の動作モードの切替を行うものである。ブザー２５は動作異常などを通知するものであり、ランプ２６はＬＡＮの接続状態などを通知するものである。受光素子７５及びリモートコントロールインタフェース６９は、図１に示した受信部１７を構成している。またリモートコントロールインタフェース６９は、図１に示した報知部２４を構成している。
【００５１】
図４は、図１に示したリモートコントローラの外観図である。リモートコントローラ５には、図１に示した操作ボタン群５１として各種の操作ボタンが設けられており、このうち、アダプタ装置１を操作するために、画面表示ボタン８１、上下左右のカーソルボタン（方向指示ボタン）８２、決定ボタン８３、機能選択ボタン８４、数字ボタン８５、カメラリストボタン８６、タイマボタン８７、録画ボタン８８、及びスナップショットボタン８９、停止ボタン９５、再生・一時停止ボタン９６などが設けられている。
【００５２】
画面表示ボタン８１は、ネットワークカメラ３を操作するための操作画面（図１０参照）を呼び出すものである。機能選択ボタン８４は、アダプタ装置１が備える各種の機能に関する設定を行う際に、設定対象となる機能の項目を選択するための機能選択画面（図９参照）を呼び出すものである。
【００５３】
数字ボタン８５は、モニタリングのために、番号に対応するネットワークカメラ３の撮影画像の表示画面を呼び出すものである（ダイレクト選択）。カメラリストボタン８６は、登録されたネットワークカメラ３を一覧表示する画面（図１１参照）を呼び出すものであり、この画面上でモニタリングするネットワークカメラ３を指定することができる（リスト選択）。
【００５４】
タイマーボタン８７は、指定の時刻に録画を行うタイマ録画の実行の要否を切り換えるものである。録画ボタン８８は、ネットワークカメラ３による現在の撮影画像を録画する処理（リアルタイム録画）を開始させるものである。スナップショットボタン８９は、ネットワークカメラ３による現在の撮影画像を静止画で記録する処理（スナップショット記録）を実行させるものである。
【００５５】
またリモートコントローラ５には、テレビジョン受像機４を操作するために、電源ボタン９１、及び入力切替ボタン９２が設けられており、テレビジョン受像機４用のリモートコントローラを用いることなく、テレビジョン受像機４を操作することができる。
【００５６】
電源ボタン９１は、テレビジョン受像機７をオン（起動状態）とオフ（スタンバイ状態）との間で状態を切り換えるものである。入力切替ボタン９２は、図１に示したテレビジョン受像機４の表示部４１に表示させる画像を、チューナ４３からの放送画像と、外部入力インタフェース４２からの入力画像との間で切り替えるものである。
【００５７】
なお、リモートコントローラ５における入力手段は、操作ボタンに限定されるものではなく、例えば操作ダイヤル等も可能である。
【００５８】
図５は、図１に示したリモートコントローラのハードウェア構成を示すブロック図である。リモートコントローラ５には、ＣＰＵ１０１、ＲＯＭ１０２及びＲＡＭ１０３を有する制御部１０４と、図４に示した操作ボタンの押下操作に応じてオンオフされるスイッチを備えたスイッチユニット１０５と、赤外線発光素子１０６とが設けられている。
【００５９】
制御部１０４では、スイッチユニット１０５の出力信号に応じた所定のデータコードからなる制御信号を生成し、赤外線発光素子１０６を駆動させて制御信号を送信する。アダプタ装置１とテレビジョン受像機４とでは、制御信号のデータコード区分が異なっており、アダプタ装置１用の制御信号に対しては専用のコードが割り当てられるのに対して、テレビジョン受像機４用の制御信号にはテレビジョン受像機４に対応するコードが割り当てられる。
【００６０】
図６は、図１に示したネットワークカメラを機能別に示すブロック図である。ネットワークカメラ３は、ＣＣＤなどの撮像素子を備えたカメラ部３１と、このカメラ部３１から出力される撮影画像データを符号化圧縮するエンコーダ３２と、ＣＧＩ（Common Gateway Interface）によりアダプタ装置１からのカメラの撮影画像データの送信要求を受け付けるＷｅｂサーバ部３６と、ネットワーク（ＬＡＮ）を介してアダプタ装置１との間で通信を行うためのネットワーク通信部３３とを有しており、エンコーダ３２で生成した圧縮撮影画像データがネットワーク通信部３３よりアダプタ装置１に送信される。なお、撮影画像データは、例えばＪＰＥＧ（動画の場合はＭｏｔｉｏｎ  ＪＰＥＧ）で生成される。
【００６１】
またネットワークカメラ３は、パン、チルト、及びズームの各動作を行わせるカメラ駆動部３４と、このカメラ駆動部３４に対して駆動信号を出力する動作制御部３５と、ＣＧＩ（Common Gateway Interface）によりアダプタ装置１からのカメラ制御信号を受け付けるＷｅｂサーバ部３６とを有しており、このＷｅｂサーバ部３６にてアダプタ装置１からのカメラ制御信号を受け取ると、そのカメラ制御信号に対応する動作指示を動作制御部３５に送り、これに応じて動作制御部３５から出力される駆動信号に基づいてカメラ駆動部３４が所要の動作を行う。
【００６２】
またネットワークカメラ３は、センサ６の出力信号が入力されるセンサインタフェース３７を備えており、センサ検知信号がＷｅｂサーバ部３６からネットワーク通信部３３を介してアダプタ装置１に送信される。なお、このセンサインタフェース３７によりセンサ６と接続可能な構成は、アダプタ装置１に接続される全てのネットワークカメラ３が備えている必要はない。
【００６３】
センサ６は、例えば人体から放射される赤外線による温度変化に基づいて人の動きを検知する人感センサである。
【００６４】
さらにネットワークカメラ３は、時計３８を有しており、この時計３８から取得した時刻情報がＷｅｂサーバ部３６からネットワーク通信部３３を介してアダプタ装置１に送信される。なお、この時計３８を備えた構成は、アダプタ装置１に接続される全てのネットワークカメラ３が備えている必要はない。
【００６５】
なお、ネットワーク通信部３３は、有線ＬＡＮ及び無線ＬＡＮのいずれか一方あるいは双方の機能を備えたものであり、双方の機能を備えたものでは、ネットワークカメラ３に設けられた設定スイッチを有線モードと無線モードとの間で切り替えることでいずれか一方の機能を利用することができる。
【００６６】
また、本アダプタ装置１では、ネットワークカメラ３との間の通信環境を構築する初期設定をユーザによる設定操作によらずに自動で行うことができ、この自動設定処理では、ＣＧＩ（Common Gateway Interface）によるネットワークカメラ３のＷｅｂサーバ部３６との間でのやりとりにより、装置情報（例えばネットワークカメラ３のユーザ名、パスワード及び電源周波数など）、ネットワーク情報（例えばアダプタ装置及びネットワークカメラ３のＩＰアドレス、ネットマスクなど）、無線情報（例えば、通信モード、通信チャネル、ＥＳＳ−ＩＤ、暗号化情報等）などの各項目について設定が行われる。この自動設定処理は、アダプタ装置１の設定スイッチ７６（図３参照）を自動設定モードに切り替えた上で電源を入れ直す（リセット）ことで実行される。なお、アダプタ装置１にルータ８が接続されているときには、ルータ８の設定も自動的に行われる。
【００６７】
図７は、図１に示したアダプタ装置での処理の手順を示すフロー図である。本アダプタ装置１では、リモートコントローラ５からの制御信号を受信部１７にて受信すると（ステップ１００）、現在の画面表示の状態と受信した制御信号とからユーザが行いたい処理内容を解析する処理が主制御部１８にて行われ（ステップ１０１）、その結果、受信した制御信号が現在画面表示している内容の入力として許されているものでない場合（ステップ１０２：ＮＯ）はその制御信号を無視して終了し、現在画面表示している内容の入力として許されている場合（ステップ１０２：ＹＥＳ）は、その内容に応じて所要の処理が実行される（ステップ１０４〜１１０）。
【００６８】
なお、どの画面を表示しているときにどの制御信号が入力を許可／非許可されるかは、主制御部１８にて管理されているものとする。
【００６９】
図７において、例えば指示内容がカメラ選択であれば、ネットワークカメラ３の撮影画像をテレビジョン受像機４に表示させる撮影画像表示処理が行われる（ステップ１０４）。指示内容が録画であれば、受信中の撮影画像（動画または静止画）を記憶媒体２３に格納する処理が録画再生処理部２２にて行われる（ステップ１０５）。指示内容が録画停止であれば、記憶媒体２３に格納する録画処理を停止させる（ステップ１０６）。指示内容が録画予約の決定であれば、入力内容にしたがって予約録画処理が行われる（ステップ１０７）。
【００７０】
また、指示内容が画面表示であれば、以下に示す各種の操作画面を表示させる画面表示データを表示制御部１２にて生成する処理が行われ（ステップ１０８）、このとき既にネットワークカメラ３の撮影画像が表示中であれば、その撮影画像の表示画面上に部分的に操作案内の表示領域を重ねて表示されるオンスクリーン画面表示データを生成する処理が行われる。
【００７１】
また、指示内容が画面入力であれば、入力内容に応じた処理を各部で実行させ、また入力内容が反映した画面を生成する処理が表示制御部１２にて行われる（ステップ１０９）。指示内容がカメラ制御であれば、カメラ制御信号を該当するネットワークカメラ３に送信してネットワークカメラ３を動作させる処理がカメラ制御部１４にて行われる（ステップ１１０）。
【００７２】
具体的に説明すると、例えば、ネットワークカメラ３のいずれかの撮影画像をテレビジョン受像機４に表示中に、リモートコントローラ５で機能選択ボタン８４が押下されたとき、「機能選択ボタン」は入力可能と判断され（ステップ１０２）、その処理内容が図９に示すメニュー表示領域１１１の表示であることがステップ１０１で解析されているので、ステップ１０３で指示内容が「画面表示」となり、ステップ１０８に進んで表示中の撮影画像と図９のメニュー表示領域１１１の画像とが重ね合わされた画面が生成されてテレビジョン受像機４に表示される。
【００７３】
この表示状態のとき、リモートコントローラ５の左右、上下のカーソルボタン８２やカメラリストボタン８６などは入力を許可されるが、数字ボタン８５など入力を許可されないものもある。ここでカメラリストボタン８６が押下されたとき、あるいは図１１（Ａ）の状態からカメラリストボタン８６が押下されたとき、ネットワークカメラ３の一覧表示であると解析されてステップ１０３で指示内容が「画面表示」となり、ステップ１０８に進んで図１１（Ｂ）の画面が生成されて表示される。
【００７４】
続いて、再度カメラリストボタン８６が押下されたとき、ネットワークカメラ３の撮影画像の表示と解析されてステップ１０３で指示内容が「カメラ選択」となり、ステップ１０４に進んで図８の撮影画像表示処理が行われる（詳細は後述する）。
【００７５】
ここでは、自動的に１、２、３、４の４つのネットワークカメラ３が選択されたことになるので、図１１（Ｃ）のように、これらの４つのネットワークカメラ３の撮影画像がテレビジョン受像機４に表示されることとなる。
【００７６】
また、別の例で説明すると、ネットワークカメラ３のいずれかの撮影画像をテレビジョン受像機４に表示中に、リモートコントローラ５で画面表示ボタン８１が押下されたとき、「画面表示ボタン」は入力可能と判断され（ステップ１０２）、その処理内容が図１０（Ａ）に示す案内表示領域１２１の表示であることが解析されてステップ１０３で指示内容が「画面表示」となり、ステップ１０８に進んで表示中の撮影画像と図１０（Ａ）の案内表示領域１２１の画像とが重ね合わされた画面が生成されてテレビジョン受像機４に表示される。
【００７７】
この表示状態のとき、下移動を指示するカーソルボタン８２が押下されると、ステップ１０３で指示内容が「画面入力」となり、ステップ１０９に進んで明るさを調整する項目が選択された状態となる（図１０（Ｂ）の案内表示領域１２２）。
【００７８】
図１０（Ａ）が表示されているときにパンの方向を指定する左右のカーソルボタン８２が押下されると、ステップ１０３で指示内容が「カメラ制御」となり、ステップ１１０に進んで主制御部１８からカメラ制御部１４に指示が送信され、ネットワークカメラ３の方向を変えるカメラ制御信号がカメラ制御部１４からネットワークカメラ３に送信される。以後、方向を変化させた撮影画像が取り込まれ、図１０（Ａ）の撮影画像に反映されることとなる。
【００７９】
図８は、図７に示した撮影画像表示処理での処理の手順を示すフロー図である。まず、リモートコントローラ５の操作により選択されたネットワークカメラ３に撮影画像データの送出を要求する処理が、主制御部１８からの指示に基づいてカメラ制御部１４にて行われ（ステップ２０１）、これに応じてネットワークカメラ３にて撮影画像データを送信する処理が開始され、ネットワークカメラ３からの撮影画像データをネットワーク通信部１１にて受信する（ステップ２０２）。そして撮影画像データから画面表示データを生成する処理が表示制御部１２にて行われ（ステップ２０３）、ついで画面表示データをビデオ信号に変換する処理がビデオ信号生成部１３にて行われ（ステップ２０４）、ビデオ信号生成部１３から送出されるビデオ信号に基づいてテレビジョン受像機４にてネットワークカメラ３の撮影画像が表示される（ステップ２０５）。
【００８０】
なお、選択されたカメラの撮影画像が既にテレビジョン受像機４にて表示中であった場合は、ステップ２０１の処理を省略することが望ましい。また、選択されたカメラ以外のカメラの撮影画像が既にテレビジョン受像機４にて表示中であった場合は、これらの非選択のカメラに対し撮影画像の送出を停止させる要求を行うことが望ましい。
【００８１】
図９は、操作者が本アダプタ装置を操作するためのメイン画面である機能選択画面である。この機能選択画面は、アダプタ装置の各種機能に関する設定を行う際に設定対象となる機能を選択するものであり、リモートコントローラ５の機能選択ボタン８４（図４参照）を操作することで図７のステップ１０８の処理によりテレビジョン受像機４に画面表示される。撮影画像のモニタリング中であれば、複数の設定項目ごとの表示選択部１１２が配列されたメニュー表示領域１１１が、ネットワークカメラ３の撮影画像上に重ねて表示されるオンスクリーン表示（オーバービュー表示）が行われる。また、テレビ番組の放送画像の表示中であれば、メニュー表示領域１１１が放送画像の上にオンスクリーン表示される。
【００８２】
メニュー表示領域１１１内には、カメラリスト、録画再生、静止画、録画予約、センサモード、及び設定の各項目ごとの表示選択部１１２が並んで配置されており、リモートコントローラ５のカーソルボタン８２（図４参照）の操作により選択した上で決定ボタン８３の操作で確定すると、選択項目に対応する設定画面に切り替わる。
【００８３】
ここで、カメラリストの項目が選択されると、後述するネットワークカメラ３の一覧画面（図１１（Ｂ）参照）が表示される。録画再生の項目が選択されると、メモリカード７４などの記憶媒体に対する動画の録画又は再生を行うための設定画面が表示される。静止画の項目が選択されると、メモリカード７４などの記憶媒体に対する静止画の録画又は再生を行うための設定画面が表示される。録画予約の項目が選択されると、後述するタイマ録画に関する設定を行う設定画面（図１２参照）が表示される。センサモードの項目が選択されると、後述するセンサ６の検出動作に応じて行われる報知動作に関する設定を行う設定画面が表示される（図１４参照）。設定の項目が選択されると、アダプタ装置１の初期設定(図示せず)やネットワークカメラ３に関する各種の設定を行うための設定画面(図１０参照)が表示される。
【００８４】
図１０は、図１に示したテレビジョン受像機に表示されるカメラ操作画面を示している。このカメラ操作画面は、図９の機能選択画面から「設定」を選択してネットワークカメラの設定画面に入るか、リモートコントローラ５の画面表示ボタン８１（図４参照）を操作することでテレビジョン受像機４に画面表示され、ネットワークカメラ３の操作要領を案内する案内表示領域１２１、１２２が、ネットワークカメラ３の撮影画像上に部分的に重ねて表示されるオンスクリーン表示（オーバービュー表示）が行われ、対象となるネットワークカメラ３の撮影画像を参照しながら、ネットワークカメラ３の遠隔操作を行うことができる。ここでは、スキャン、明るさ、及び解像度の各操作項目が用意されており、リモートコントローラ５の上下左右のカーソルボタン８２で選択する。
【００８５】
なお、ここでは案内表示領域１２１、１２２がネットワークカメラ３の撮影画像上にオンスクリーン表示される場合について説明したが、案内表示領域が撮影画像を見る上で邪魔になる場合を考慮して、案内表示領域を画面に表示せずに撮影画像のみを画面表示し、撮影画像を参照しながらネットワークカメラ３の遠隔操作を行うようにしても良い。
【００８６】
図１０（Ａ）に示すようにスキャンの操作項目では、ネットワークカメラ３の撮影角度を左右及び上下に移動させるパン及びチルトの各動作を指示することができ、具体的には、リモートコントローラ５の左右のカーソルボタン８２及び決定ボタン８３を用いて、パンの項目を選択決定すると、撮影角度を水平方向に一往復移動させて初期位置に戻るパンスキャン動作を行い、またチルトの項目を選択決定することで、撮影角度を垂直方向に一往復移動させて初期位置に戻るチルトスキャン動作を行う。またリモートコントローラ５の左右のカーソルボタン８２の操作でパン動作を行わせ、また上下のカーソルボタン８２の操作でチルト動作を行わせることも可能である。
【００８７】
また図１０（Ｂ）に示すように明るさの操作項目では、ネットワークカメラ３による撮影画像の明るさを調整することができ、具体的には、リモートコントローラ５の左右のカーソルボタン８２及び決定ボタンを用いて標準の項目を選択決定することで、標準の明るさに設定され、「−」の項目を選択決定することで明るさを１段階下げることができ、「＋」の項目を選択決定することで明るさを１段階上げることができる。
【００８８】
なお、ネットワークカメラ３の操作項目は、前記の項目に限らず、例えばズームなどの他の制御項目を含んでいてもよい。
【００８９】
図１１は、図１に示したテレビジョン受像機においてカメラ選択時の画面遷移状況を示している。本アダプタ装置１では、前記のように、リモートコントローラ５の数字ボタン８５の操作により対応する番号のネットワークカメラ３の撮影画像が表示された画面を直接呼び出すダイレクト選択の他に、登録されたネットワークカメラ３を一覧表示する画面を呼び出して、この画面上でモニタリングするネットワークカメラ３を指定するリスト選択ができるようになっている。
【００９０】
図１１（Ａ）に示すように、ネットワークカメラ３の撮影画像をテレビジョン受像機４に表示させた状態で、リモートコントローラ５のカメラリストボタン８６を操作する、あるいは図９に示した機能選択画面でカメラリストの項目を選択決定すると、図１１（Ｂ）に示すように、登録されたネットワークカメラ３を一覧表示するカメラリスト画面がテレビジョン受像機４に表示される。
【００９１】
このカメラリスト画面では、登録されたネットワークカメラ３が所定の順番にしたがって表示され、さらにネットワークカメラ３に付与した名称などを示す文字を表示させることができるため、これに基づいてネットワークカメラ３の選択すれば良く、ここで、リモートコントローラ５の上下のカーソルボタン８２及び決定ボタン８３を用いて、所要のネットワークカメラ３を選択決定すると、該当するネットワークカメラ３の撮影画像がテレビジョン受像機４に表示される。
【００９２】
さらに本アダプタ装置１では、表示制御部（表示制御手段）１２において、モニタリングするネットワークカメラ３を選択指定させるために、登録された複数のネットワークカメラ３の撮影画像を、１つの画面を分割して設定された複数の表示領域１３１にそれぞれ表示させるマルチ画面表示データを生成してテレビジョン受像機４に表示させるようになっており、図１１（Ｃ）及び（Ｄ）に示すように、複数のネットワークカメラ３の撮影画像が順に並べて表示され、ネットワークカメラ３の実際の撮影画像を参照しながらモニタリングするネットワークカメラ３を選択することができる。
【００９３】
図１１（Ｃ）に示す第１のマルチ画面は、図１１（Ｂ）に示すカメラリスト画面の表示中にリモートコントローラ５のカメラリストボタン８６を操作することで表示され、この第１のマルチ画面の表示中にさらにカメラリストボタン８６を操作すると、図１１（Ｄ）に示す第２のマルチ画面が表示され、これらのマルチ画面上で、各ネットワークカメラ３の撮影画像を参照しながら、リモートコントローラ５の上下左右のカーソルボタン８２及び決定ボタン８３を用いて、あるいは数字ボタン８５を用いて、所要のネットワークカメラ３を選択決定すると、該当するネットワークカメラ３の撮影画像が単独でテレビジョン受像機４に全面表示される。
【００９４】
このマルチ画面の表示では、図８に示した例と略同様の手順で処理が行われるが、ここでは、第１・第２の各マルチ画面における撮影画像の表示領域１３１にそれぞれネットワークカメラ３が番号順に対応付けられており、カメラリスト画面の表示中にカメラリストボタン８６が操作されると、第１のマルチ画面の表示領域１３１に対応付けられたネットワークカメラ３に対して撮影画像の送出要求が行われ、これに応じて受信された各ネットワークカメラ３ごとの撮影画像データに基づいて表示制御部１２にてマルチ画面表示データが生成され、テレビジョン受像機４にて第１のマルチ画面が表示される。
【００９５】
また第１のマルチ画面の表示中にさらにカメラリストボタン８６が操作されると、第２のマルチ画面の各表示領域１３１に対応付けられたネットワークカメラ３に対して撮影画像の送出要求が行われ、これに応じて受信された撮影画像データに基づいて表示制御部１２にてマルチ画面表示データが生成され、テレビジョン受像機４にて第２のマルチ画面が表示される。
【００９６】
また、本アダプタ装置１では、表示制御部（表示制御手段）１２において、リモートコントローラ５の操作に基づいて選択指定された複数のネットワークカメラ３ごとの撮影画像を、１つの画面を分割して設定された複数の表示領域にそれぞれ表示させるマルチ画面表示データを生成してテレビジョン受像機４に表示させるようなっており、図１１（Ｃ）及び（Ｄ）に示したマルチ画面と同様に、複数のネットワークカメラ３の撮影画像が１つの画面上に同時に表示され、画面の切替を行うことなく複数箇所のモニタリングを同時に行うことができる。
【００９７】
このマルチ画面では、図８に示した例と略同様の手順で処理が行われ、まず前記図１１の例のようにカメラリストボタン８６を操作して図１１（Ｂ）に示すカメラリスト画面を表示させ、ここでネットワークカメラ３を複数選択すると、選択された複数のネットワークカメラ３に対して撮影画像の送出要求が行われ、これに応じて受信された各ネットワークカメラ３ごとの撮影画像データに基づいて表示制御部１２にてマルチ画面表示データが生成され、指定された複数のカメラの撮影画像が表示されたマルチ画面がテレビジョン受像機４にて表示される。
【００９８】
本アダプタ装置１は、前記のように、ネットワークカメラ３から受信した撮影画像データを記憶媒体２３に書き込む録画処理を実行する録画再生処理部（録画処理手段）２２を備えており、この録画再生処理部２２では、主制御部１８からの指示に応じて、ネットワークカメラ３から受信中の撮影画像データを動画で録画する処理（リアルタイム録画）、ネットワークカメラ３から受信中の撮影画像データを静止画で録画する処理（スナップショット録画）、並びに予約指定された録画日時にしたがって録画する処理（タイマ録画）の各機能を実行することができる。
【００９９】
リアルタイム録画は、図４に示したリモートコントローラ５の数字ボタン８５によるダイレクト選択あるいは図１１に示したカメラリスト画面やマルチ画面によるリスト選択の操作により、所要のネットワークカメラ３の撮影画像をテレビジョン受像機４に表示させたモニタリング状態で、リモートコントローラ５の録画ボタン８８を操作することで開始され、停止ボタン９５を操作することで終了する。
【０１００】
スナップショット録画は、ダイレクト選択あるいはリスト選択により所要のネットワークカメラ３の撮影画像をテレビジョン受像機４に表示させたモニタリング状態で、リモートコントローラ５のスナップショットボタン８９を操作することで実行される。
【０１０１】
図１２は、録画予約を行う際に操作画面としてテレビジョン受像機に表示される録画予約画面を示している。この録画予約画面は、タイマ録画での録画対象となるネットワークカメラ３、録画日時（曜日、開始時刻、終了時刻）及び録画モードなどを指定するものであり、図９に示した機能選択画面で録画予約の項目を選択することで表示される。
【０１０２】
この録画予約画面では、設定対象となるネットワークカメラ３が表示選択部１４１に表示され、ここを選択した上でリモートコントローラ５の左右のカーソルボタン８２または数字ボタン８５を操作することで所要のネットワークカメラ３を選択することができる。また、予約内容の表示選択部１４２に、曜日、開始時刻、終了時刻、録画モードの各項目ごとの設定内容が表示され、設定を変更する場合には該当する表示選択部１４２を選択し、また新規に予約する場合には新規予約の表示選択部１４２を選択することで、図示しない入力画面が呼び出され、ここでリモートコントローラ５の上下左右のカーソルボタン８２などを用いて各項目ごとの入力を行うことができる。
【０１０３】
このタイマー録画では、図６に示したようにネットワークカメラ３に内蔵された時計３８からアダプタ装置１があらかじめ時刻情報を取得している。なお、時計３８を備えたネットワークカメラ３が複数台接続されている場合には、それらのネットワークカメラ３に付与された優先順位に基づいて、時刻情報を取得するネットワークカメラ３を選択するものとすれば良い。
【０１０４】
図１３は、図７に示した予約録画処理の手順を示すフロー図である。まず、図１２に示した録画予約画面で録画対象となるネットワークカメラ３、録画日時及び録画モードを指定入力する操作が行われると、ここで入力された設定内容をメモリに記憶する処理が行われ（ステップ３０１）、録画待機状態となる。
【０１０５】
そして、アダプタ装置1が計時している時刻情報に基づいて録画開始日時に到達したものと判定されると（ステップ３０２）、指定のネットワークカメラ３に撮影画像データの送出を要求する処理が行われ（ステップ３０３）、これに応じて指定のネットワークカメラ３からの撮影画像データをネットワーク通信部１１が受信すると（ステップ３０４）、受信中の撮影画像データを記憶媒体２３に格納する処理が録画再生処理部２２にて開始される（ステップ３０５）。
【０１０６】
そして、アダプタ装置1が計時している時刻情報に基づいて録画終了日時に到達したものと判定されると（ステップ３０６）、受信中の撮影画像データを記憶媒体２３に格納する処理が停止され（ステップ３０７）、指定のネットワークカメラ３に撮影画像データの送出停止を要求する処理が行われる（ステップ３０８）。
【０１０７】
また、本アダプタ装置１では、図１に示したように、ネットワークカメラ３に併設されたセンサ６の検知動作に応じてネットワークカメラ３から送信されるセンサ検知信号をネットワーク通信部１１を介して主制御部（報知制御手段）１８が受け取ると、以下に示す所定の報知動作を行うようになっている。
【０１０８】
まず本アダプタ装置１は、主制御部１８からの指示に応じてブザー２５及びランプ２６を動作させる報知部２４を備えており、主制御部１８では、ネットワークカメラ３からのセンサ検知信号を受け取ると、ブザー２５を鳴動させ、またランプ２６を点灯させる報知動作を実行するように報知部２４に指示を出して、センサ６が併設されたネットワークカメラ３の設置場所で生じた異常を即座にユーザに知らせる。
【０１０９】
図１４は、ネットワークカメラに併設されるセンサの設定を行う際に操作画面としてテレビジョン受像機に表示されるセンサモード設定画面を示している。このセンサモード設定画面は、ネットワークカメラ３に併設されたセンサ６の検知動作に応じてネットワークカメラ３から送信されるセンサ検知信号を受信した場合に所定の報知動作を行うセンサモード機能を利用するか否かの指定を行うものであり、図９に示した機能選択画面上でセンサモードの項目を選択することで表示される。
【０１１０】
このセンサモード設定画面では、表示選択部１５１にセンサモードのオン及びオフの別が表示され、リモートコントローラ５の左右のカーソルボタン８２を用いて、センサモードをオンとする指定が行われると、センサ６の検知動作に応じてブザー２５を鳴動させると共にランプ２６を点灯させる報知動作が実行される。
【０１１１】
図１５は、テレビジョン受像機に表示されるセンサ検知時の画面遷移状況を示している。本アダプタ装置１では、別の報知動作として、ネットワークカメラ３からのセンサ検知信号に応じて、検知動作を行ったセンサ６に対応するネットワークカメラ３の撮影画像を優先的に表示させるように表示制御部（表示制御手段）１２が制御され、テレビジョン受像機４の画面が、センサ６の検知動作に応じて、対応するネットワークカメラ３の撮影画像を表示する画面に強制的に切り換えられるようになっている。
【０１１２】
図１５（Ａ）に示す例では、テレビジョン受像機４にて、検出動作を行ったセンサ６に対応するネットワークカメラ３とは異なる別のネットワークカメラ３の撮影画像を表示中に、センサ６の検知信号を受信すると、別のネットワークカメラ３の撮影画像の表示画面から、検出動作を行ったセンサ６に対応するネットワークカメラ３の撮影画像の表示画面に切り替えられる。
【０１１３】
図１５（Ｂ）に示す例では、テレビジョン受像機４にて、複数のネットワークカメラ３の撮影画像を同時に表示させるマルチ画面の表示中に、センサ６の検知信号を受信すると、マルチ画面から、センサ６に対応するネットワークカメラ３の撮影画像を単独で表示させた表示画面に切り替えられる。なお、この画面切替動作は、検出動作を行ったセンサ６に対応するネットワークカメラ３の撮影画像がマルチ画面に表示されている場合に限定するようにしても良い。
【０１１４】
図１５（Ｃ）に示す例では、検出動作を行ったセンサ６に対応するネットワークカメラ３の撮影画像を表示させるにあたり、テレビジョン受像機４がスタンバイ状態にあっても、テレビジョン受像機４に対してスタンバイ状態から復帰させる制御信号を送信する。このテレビジョン受像機４に対する制御信号の送信処理は、図１に示したテレビ制御部２８で行われ、主制御部１８からの指示に応じてテレビ制御部２８が送信機７を動作させて所要の制御信号を送信する。これにより、テレビジョン受像機４が起動し、テレビジョン受像機４にネットワークカメラ３の撮影画像が表示される。
【０１１５】
図１５（Ｄ）に示す例では、検出動作を行ったセンサ６に対応するネットワークカメラ３の撮影画像を表示させるにあたり、テレビジョン受像機４が放送画像の表示状態にあっても、テレビジョン受像機４での放送画像の表示モードから外部入力画像の表示モードに切り替える制御信号を送信機７から送信するようにテレビ制御部２８が動作する。これにより、テレビジョン受像機４が外部入力画像の表示モードに切り替えられ、テレビジョン受像機４にネットワークカメラ３の撮影画像が表示される。
【０１１６】
また、本アダプタ装置１の主制御部（報知制御手段）１８では、ネットワークカメラ３からのセンサ検知信号に応じて、録画再生処理部２２に、センサ６に対応するネットワークカメラ３の撮影画像の録画処理（センサ録画）を行わせるようになっている。
【０１１７】
図１６は、センサ６の各々の設定を行う際に操作画面としてテレビジョン受像機に表示されるセンサ検知設定画面を示している。このセンサ検知設定画面は、ネットワークカメラ３ごとにセンサ検知に応じた報知動作の要否及びセンサ録画する場合の録画モードを指定するものであり、図１５に示したセンサモード設定画面で詳細設定の表示選択部１５２を選択決定することで表示される。
【０１１８】
このセンサ検知設定画面で、ネットワークカメラ３ごとの表示選択部１６１に、センサ検知に応じた報知動作の要否（オン及びオフ）、センサの有無、センサ録画ができない旨の文言、及びセンサ録画時の録画モードの内容が表示され、リモートコントローラ５の上下左右のカーソルボタン８２などを用いて、ネットワークカメラ３ごとに報知動作の要否を指定し、さらにセンサ録画する場合には録画モードを選択指定した上で、図１４に示したセンサモード設定画面でセンサモードをオンとする指定が行われると、指定のネットワークカメラ３に併設されたセンサ６からのセンサ検知信号を受信するのに応じて、ブザー２５の鳴動及びランプ２６の点灯による報知動作、検知動作を行ったセンサ６に対応するネットワークカメラ３の撮影画像の表示画面への切替動作、並びに指定の録画モードにしたがった録画処理が実行される。
【０１１９】
図１７は、図１に示したアダプタ装置で行われる報知処理の手順を示すフロー図である。まずネットワークカメラ３に併設されたセンサ６の検知動作に応じてネットワークカメラ３から送信されるセンサ検知信号をネットワーク通信部１１を介して主制御部（報知制御手段）１８が受け取ると（ステップ４０１）、主制御部１８では、センサモードがオンの設定である場合に（ステップ４０２）、報知部２４に対して報知動作の実行を指示し、ブザー２５が鳴動すると共にランプ２６が点灯する（ステップ４０３）。
【０１２０】
ついで検知動作を行ったセンサ６に対応するネットワークカメラ３に撮影画像データの送出を要求する処理が行われ（ステップ４０４）、これに応じてネットワークカメラ３からの撮影画像データをネットワーク通信部１１にて受信すると（ステップ４０５）、撮影画像データから画面表示データを生成する処理が表示制御部１２にて行われ（ステップ４０６）、ついで画面表示データをビデオ信号に変換する処理がビデオ信号生成部１３にて行われ（ステップ４０７）、ビデオ信号生成部１３から送出されるビデオ信号に基づいてテレビジョン受像機４にてネットワークカメラ３の撮影画像が表示される（ステップ４０８）。
【０１２１】
また、図１６に示したセンサ検知設定画面でセンサ録画の設定がなされている場合には、ネットワークカメラ３からの撮影画像データをネットワーク通信部１１にて受信するのに応じて（ステップ４０５）、録画再生処理部２２にて記憶媒体２３に撮影画像データを記憶させる処理が行われる。
【０１２２】
図１８は、図１に示したアダプタ装置により構成されるネットワークカメラシステムの一例を示している。ここでは、家屋２０１内のリビングルーム２０２に、アダプタ装置１とテレビジョン受像機４とが設置されており、また、ネットワークカメラ３が、家屋２０１内の各部屋２０３、玄関２０４、門扉２０５、ガレージ２０６、庭２０７、ペット飼育スペース２０８に設置され、アダプタ装置１との間で無線によるネットワーク通信を行うようになっており、これによりリビングルーム２０２のテレビジョン受像機４で住宅の各場所の状況を監視し、また録画することができる。
【０１２３】
これにより、不審者の侵入や盗難等を未然に防止して住宅の安全性を高めることができ、また要介護者の様子を観察して介護の利便性を向上させることができる。さらにペットや庭の草花などの様子を観察・録画することで、趣味や娯楽の用途にも利用することができる。
【０１２４】
図１９は、図１に示したアダプタ装置により構成されるネットワークカメラシステムの別の例を示している。ここでは、遠隔地にある２つの家屋２１１・２１２に、アダプタ装置１、ネットワークカメラ３、及びテレビジョン受像機４が設置されており、各家屋２１１・２１２のアダプタ装置１は、各家屋２１１・２１２に設置されたルータ８を介してインターネットに接続されている。さらに、２つの家屋２１１・２１２の一方に設置されたアダプタ装置１には、家屋２１１・２１２の他方に設置されたネットワークカメラ３が登録されている。このため、家屋２１１・２１２の一方に設置されたテレビジョン受像機に、家屋２１１・２１２の他方の様子が表示され、離れた場所にいる人同士のコミュニケーションに利用することができる。
【０１２５】
なお、この例より多くの家屋を対象にしてネットワークカメラシステムを構築することも可能であり、この場合、ネットワークカメラ３の撮影画像をテレビジョン受像機４に複数表示させることにより、３箇所以上の場所にいる人同士が同時に相手の顔を見ながら会話をすることも可能である。
【０１２６】
また、図１９に示した複数の家屋を対象にしたネットワークカメラシステムにおいて、図１８に示したように、住宅の適所に設置したネットワークカメラ３を組み合わせることで、他の住宅に設置されたネットワークカメラ３の撮影画像を、自宅のテレビジョン受像機４に表示させて、他の住宅の様子を観察することができ、これにより例えば遠隔地に居住する独居老人の無事を確認する用途に利用することができる。
【産業上の利用可能性】
【０１２７】
本発明にかかるアダプタ装置及びネットワークカメラシステムは、パソコンによらずにネットワークカメラを簡単に且つ安価に利用することができる効果を有し、ネットワークカメラのモニタリング及び制御を行うアダプタ装置及びネットワークカメラシステムなどとして有用である。
【図面の簡単な説明】
【０１２８】
【図１】本発明によるアダプタ装置を機能別に示すブロック図
【図２】図１に示したアダプタ装置により構成されるネットワークカメラシステムの一例を示すブロック図
【図３】図１に示したアダプタ装置のハードウェア構成を示すブロック図
【図４】図１に示したリモートコントローラの外観図
【図５】図１に示したリモートコントローラのハードウェア構成を示すブロック図
【図６】図１に示したネットワークカメラを機能別に示すブロック図
【図７】図１に示したアダプタ装置での処理の手順を示すフロー図
【図８】図７に示した撮影画像表示処理での処理の手順を示すフロー図
【図９】図１に示したテレビジョン受像機に表示される機能選択画面を示す図
【図１０】図１に示したテレビジョン受像機に表示されるカメラ操作画面を示す図
【図１１】図１に示したテレビジョン受像機においてカメラ選択時の画面遷移状況を示す図
【図１２】図１に示したテレビジョン受像機に画面表示される録画予約画面を示す図
【図１３】図７に示した予約録画処理の手順を示すフロー図
【図１４】図１に示したテレビジョン受像機に画面表示されるセンサモード設定画面を示す図
【図１５】図１に示したテレビジョン受像機においてセンサ検知時の画面遷移状況を示す図
【図１６】図１に示したテレビジョン受像機に画面表示されるセンサ検知設定画面を示す図
【図１７】図１に示したアダプタ装置で行われる報知処理の手順を示すフロー図
【図１８】図１に示したアダプタ装置により構成されるネットワークカメラシステムの一例を示す図
【図１９】図１に示したアダプタ装置により構成されるネットワークカメラシステムの別の例を示す図
【符号の説明】
【０１２９】
１  アダプタ装置
３  ネットワークカメラ
４  テレビジョン受像機
５  リモートコントローラ（入力手段）
６  センサ
１１  ネットワーク通信部（ネットワーク通信手段）
１２  表示制御部（表示制御手段）
１３  ビデオ信号生成部（ビデオ信号生成手段）
１４  カメラ制御部（カメラ制御手段）
１５  ビデオデコーダ
１７  受信部（受信手段）
１８  主制御部（報知制御手段）
２２  録画再生処理部（録画処理手段）
２３  記憶媒体
２４  報知部
２５  ブザー
２６  ランプ
【図１】
2006109404.tif 000003
【図２】
2006109404.tif 000004
【図３】
2006109404.tif 000005
【図４】
2006109404.tif 000006
【図５】
2006109404.tif 000007
【図６】
2006109404.tif 000008
【図７】
2006109404.tif 000009
【図８】
2006109404.tif 000010
【図９】
2006109404.tif 000011
【図１０】
2006109404.tif 000012
【図１１】
2006109404.tif 000013
【図１２】
2006109404.tif 000014
【図１３】
2006109404.tif 000015
【図１４】
2006109404.tif 000016
【図１５】
2006109404.tif 000017
【図１６】
2006109404.tif 000018
【図１７】
2006109404.tif 000019
【図１８】
2006109404.tif 000020
【図１９】
2006109404.tif 000021